(57)【要約】  本発明にかかる電動機駆動装置１００は、複数の相を有する電動機３の複数の相のそれぞれに交流電力を出力するインバータ主回路４、を備え、複数の相のうちの１つである第１の相に流れる電流が閾値以下となる場合に、第１の相に出力される交流電力の電圧は、第１の相の電圧指令値に対応する電圧であり、複数の相のうちの第２の相に出力される交流電力の電圧は、第２の相の電圧指令値に対応する電圧より低いまたは高い。
2017029694.tif 000002
【特許請求の範囲】
【請求項１】
電動機の複数の相のそれぞれに交流電力を出力するインバータ、を備え、
前記複数の相のうちの１つである第１の相に流れる電流が閾値以下となる場合に、前記第１の相に出力される交流電力の電圧は、前記第１の相の電圧指令値に対応する電圧であり、前記複数の相のうちの第２の相に出力される交流電力の電圧は、前記第２の相の電圧指令値に対応する電圧より低いまたは高い電動機駆動装置。
【請求項２】
前記第１の相に流れる電流が閾値以下となる場合に、前記第２の相のそれぞれに印加する電圧を、前記第１の相に印加する電圧を補正するための補正電圧に応じて変化させる駆動信号を出力する制御部、
を備える請求項１に記載の電動機駆動装置。
【請求項３】
前記インバータは、直列接続されたスイッチング素子群で構成されるアームを、前記複数の相の数だけ有し、
前記補正電圧は、前記第１の相に対応する前記アームを構成する前記スイッチング素子群が同時に閉とならないように設けられる短絡防止時間により生じる前記インバータの出力電圧の歪を補正するための補正電圧である請求項２に記載の電動機駆動装置。
【請求項４】
前記スイッチング素子は、ワイドバンドギャップ半導体によって形成されている請求項３に記載の電動機駆動装置。
【請求項５】
前記ワイドバンドギャップ半導体は、炭化珪素である請求項４に記載の電動機駆動装置。
【請求項６】
前記複数の相のそれぞれを流れる電流をそれぞれ検出する複数の電流検出器、
を備え、
前記第１の相を流れる電流を、前記第２の相を流れる電流を検出した電流検出器による検出結果に基づいて算出する請求項１から５のいずれか１つに記載の電動機駆動装置。
【請求項７】
前記電動機は、圧縮機に内蔵される請求項１から６のいずれか１つに記載の電動機駆動装置。
【請求項８】
請求項１から７のいずれか１つに記載の電動機駆動装置を備える冷凍サイクル装置。
【発明の詳細な説明】
【技術分野】
【０００１】
本発明は、電動機を駆動する電動機駆動装置および冷凍サイクル装置に関する。
【背景技術】
【０００２】
電動機を駆動する電動機駆動装置において、インバータを構成するスイッチング素子のうち、同一相に対応する１組のスイッチング素子が同時にオンすることで生じる短絡を防ぐため、短絡防止時間が設けられる。短絡防止時間では、インバータの出力電圧に歪みが生じることが知られている。短絡防止時間での電圧歪みの補償方法は過去より検討されている。【０００３】
例えば、特許文献１には、電流指令値がゼロに近い、すなわち電流指令値の極性が変化する相の電圧指令を、電流の極性に関わらずの所定電圧値に補正し、他相は極性に応じて電圧指令を補正する技術が示されている。【０００４】
また、特許文献２では、電流検出値よりも進み位相の電流指令値に生成し、この電流指令値を用いて直交座標上で電圧指令値を補正する技術が示されている。さらに、特許文献２では、２相変調方式により一相のスイッチング素子が全オンまたは全オフ区間に該当した場合に当該相の補償量を他相へ分割する技術が示されている。
【先行技術文献】
【特許文献】
【０００５】
【特許文献１】特開平９−２６１９７４号公報
【特許文献２】特開２００２−２４７８６０号公報
【発明の概要】
【発明が解決しようとする課題】
【０００６】
特許文献１は電流がゼロとなる近傍では、電圧指令値の極性は補正前のままで電圧指令値を所定電圧値となるように補正することで、補正の際に仮定する極性が実際の出力電流の極性と異なることによる補正歪、すなわち極性違いによる補正歪を低減させている。しかしながら、特許文献１に記載の方法では、歪の補正量が限定的となるため、十分な歪の抑制効果が得られず、短絡防止時間での電圧歪みを高い精度で補正することができないという課題がある。【０００７】
また、特許文献２は、相電流ゼロクロス点すなわち相電流の極性が変化する点前後の、電流が比較的大きい期間では補償量すなわち短絡防止時間での歪を補正するための補正量を少なくし、大きな補償量を必要とする相電流ゼロクロス時点で最大の補償量を得るように構成している。しかしながら、特許文献２に記載の方法では、全ての相に補償量を加算するため、極性違いによる補正歪を避けることができないという課題がある。【０００８】
本発明は、上記に鑑みてなされたものであって、短絡防止時間での電圧歪みを高い精度で補正することができる電動機駆動装置を得ることを目的とする。
【課題を解決するための手段】
【０００９】
上述した課題を解決し、目的を達成するために、本発明にかかる電動機駆動装置は、電動機の複数の相のそれぞれに交流電力を出力するインバータ、を備える。複数の相のうちの１つである第１の相に流れる電流が閾値以下となる場合に、第１の相に出力される交流電力の電圧は、第１の相の電圧指令値に対応する電圧であり、複数の相のうちの第２の相に出力される交流電力の電圧は、第２の相の電圧指令値に対応する電圧より低いまたは高い。
【発明の効果】
【００１０】
本発明にかかる電動機駆動装置および冷凍サイクル装置は、短絡防止時間での電圧歪みを高い精度で補正することができるという効果を奏する。
【図面の簡単な説明】
【００１１】
【図１】本発明にかかる電動機駆動装置の回路構成例を示す図
【図２】制御回路の構成例を示す図
【図３】インバータ制御回路からインバータ主回路に入力される駆動信号すなわちオンオフ信号の一例を示す図
【図４】図３に示した領域を拡大した図
【図５】比較例の２つの方法を示す図
【図６】インバータ制御回路の制御指令としての電圧指令値とインバータ主回路から実際に出力される出力電圧と、モータ電流との関係を示す図
【図７】デッドタイムによる歪みを補正するための補正電圧であるＴｄ補正電圧の一例を示す図
【図８】補正電圧生成部における処理手順の一例を示すフローチャート
【図９】３相平衡を仮定してモータ電流が閾値以内となる相のモータ電流を算出する場合の補正電圧生成部における処理手順の一例を示すフローチャート
【図１０】実施の形態２の空気調和機の構成例を示す図
【発明を実施するための形態】
【００１２】
以下に、本発明の実施の形態にかかる電動機駆動装置および冷凍サイクル装置を図面に基づいて詳細に説明する。なお、この実施の形態によりこの発明が限定されるものではない。
【００１３】
実施の形態１．
図１は、本発明にかかる電動機駆動装置の回路構成例を示す図である。図１に示すように、本発明にかかる電動機駆動装置１００は、直流電源１と、平滑コンデンサ２と、直流電流を３相交流電流、すなわち交流電力に変換して３相を有する電動機３に出力することにより電動機３を駆動するインバータであるインバータ主回路４と、インバータ主回路４を制御するためのＰＷＭ（Pulse  Width  Modulation）信号を生成する制御部であるインバータ制御回路５と、平滑コンデンサ２の電圧である直流電圧を検出する電圧検出器８と、を備える。インバータ主回路４と電動機３の間には、電動機３を流れる電流すなわちモータ電流を計測する電流計測器６，７が設けられている。なお、図１では、電流計測器６，７を２相に設け、２相のモータ電流の検出結果から３相分のモータ電流を求めるようにしているが、電流計測器を３相にそれぞれ設けてもよい。
【００１４】
本実施の形態の電動機駆動装置１００は、空気調和機、冷凍機、洗濯乾燥機、冷蔵庫、除湿器、ヒートポンプ式給湯機、ショーケース、掃除機、ファンモータ、換気扇、手乾燥機、誘導加熱電磁調理器などにおいて、モータを駆動する装置として用いることができる。
【００１５】
インバータ主回路４は、電動機３のＵ相、Ｖ相、Ｗ相の巻線に電圧Ｖｕ，Ｖｖ，Ｖｗをそれぞれ印加する。インバータ主回路４は、Ｕ相に対応する直列接続されたスイッチング素子群であるスイッチング素子４ａ，４ｂと、Ｖ相に対応する直列接続されたスイッチング素子群であるスイッチング素子４ｃ，４ｄと、Ｗ相に対応する直列接続されたスイッチング素子群であるスイッチング素子４ｅ，４ｆとを備える。同一相に対応するスイッチング素子４ａとスイッチング素子４ｂとの対をアームと定義する。同様に、スイッチング素子４ｃとスイッチング素子４ｄとの対、およびスイッチング素子４ｅとスイッチング素子４ｆとの対もそれぞれアームである。以下、Ｕ相に対応するスイッチング素子４ａ，４ｂをＵ相のアームとも呼び、Ｖ相に対応するスイッチング素子４ｃ，４ｄをＶ相のアームとも呼び、Ｗ相に対応するスイッチング素子４ｅ，４ｆをＷ相のアームとも呼ぶ。
【００１６】
インバータ制御回路５は、電流計測器６，７により計測されたモータ電流と電圧検出器８により検出された直流電圧Ｖｄｃとに基づいて、電動機３を回転駆動させるための電圧、すなわち交流電力を電動機３へ印加するようインバータ主回路４を制御する。具体的には、インバータ制御回路５は、電流計測器６，７により計測されたモータ電流に基づいて各相の電圧指令値を生成する電圧指令演算部５２と、短絡防止時間での電圧歪みを補正するための補正電圧を生成する補正電圧生成部５３と、電圧指令値と補正電圧とに基づいて、相ごとのスイッチング素子のオンオフ状態をＰＷＭ制御するための駆動信号を生成してインバータ主回路４へ出力する駆動信号生成部５１と、を備える。駆動信号生成部５１は、補正電圧に基づいて電圧指令値を補正し、周波数があらかじめ定められた搬送波周波数であり振幅がＶｄｃ／２の基準信号である搬送波信号を生成し、搬送波信号と補正後の電圧指令値とを比較し、相互の大小関係に基づき駆動信号を生成する。駆動信号は、インバータ主回路４の各スイッチング素子のオンオフ状態を制御するためのＰＷＭ信号であり、スイッチング素子をオンすなわち閉とすることを示す値と、スイッチング素子をオフすなわち開とすることを示す値とのいずれかの値をとるパルス状の信号である。
【００１７】
インバータ主回路４を構成する各スイッチング素子は、駆動信号に応じてスイッチング動作することにより、電動機３へ電流を印加する。スイッチング素子４ａ，４ｂ，４ｃ，４ｄ，４ｅ，４ｆとしては、どのような素子を用いてもよいが、ＧａＮ（窒化ガリウム）、ＳｉＣ（シリコンカーバイド：炭化珪素）、ダイヤモンドなどのワイドバンドギャップ半導体を用いることができる。ワイドバンドギャップ半導体を用いることで耐電圧性が高く、許容電流密度も高くなるため、モジュールの小型化が可能となる。ワイドバンドギャップ半導体は、耐熱性も高いため、放熱部の放熱フィンの小型化も可能になる。
【００１８】
インバータ制御回路５を構成する駆動信号生成部５１、電圧指令演算部５２および補正電圧生成部５３は、専用のハードウェアであっても、メモリとメモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）ともいう）とを備える制御回路であってもよい。ここで、メモリとは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリー、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の、不揮発性または揮発性の半導体メモリ、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｋ）等が該当する。
【００１９】
インバータ制御回路５を構成する駆動信号生成部５１、電圧指令演算部５２および補正電圧生成部５３が、専用のハードウェアで実現される場合、これらは、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものである。
【００２０】
インバータ制御回路５を構成する駆動信号生成部５１、電圧指令演算部５２および補正電圧生成部５３がＣＰＵを備える制御回路で実現される場合、この制御回路は例えば図２に示す構成の制御回路２００である。図２に示すように制御回路２００は、ＣＰＵであるプロセッサ２０１と、メモリ２０２とを備える。インバータ制御回路５を構成する駆動信号生成部５１、電圧指令演算部５２および補正電圧生成部５３が図２に示すように制御回路２００により実現される場合、プロセッサ２０１がメモリ２０２に記憶された、インバータ制御回路５の各部の処理に対応するプログラムを読み出して実行することにより実現される。また、メモリ２０２は、プロセッサ２０１が実施する各処理における一時メモリとしても使用される。
【００２１】
ここで、まず、短絡防止時間について説明する。インバータ主回路４から出力される電圧は、一般的にはインバータ主回路４においてＰＷＭ制御が実施されるため、搬送波周波数に対応する周期を単位として刻まれた電圧となる。搬送波周波数は、電動機３の回転周波数よりも高い周波数である。
【００２２】
図３は、インバータ制御回路５からインバータ主回路４に入力される駆動信号すなわちオンオフ信号の一例を示す図である。図３の１段目には、搬送波信号を示し、２段目には、スイッチング素子４ａに対する駆動信号である駆動信号ａを示している。図３の３段目には、スイッチング素子４ｂに対する駆動信号である駆動信号ｂを示し、４段目には、スイッチング素子４ｃに対する駆動信号である駆動信号ｃを示し、５段目には、スイッチング素子４ｄに対する駆動信号である駆動信号ｄを示し、６段目には、スイッチング素子４ｅに対する駆動信号である駆動信号ｅを示し、７段目には、スイッチング素子４ｆに対する駆動信号である駆動信号ｆを示している。図３の領域３００は、駆動信号ｃがオフを示す値からオンを示す値へ変化し、駆動信号ｄがオンを示す値からオフを示す値へ変化する領域である。
【００２３】
図４は、図３に示した領域３００を拡大した図である。１つのアームを構成する２つのスイッチング素子が同時にオンとなることで短絡することを防ぐため、一般に、図４に示すように、短絡防止時間Ｔｄが設けられている。短絡防止時間は、デッドタイムとも呼ばれる。
【００２４】
デッドタイムが存在すると、インバータ主回路４の出力電圧は電圧指令値に対して非線形となり、インバータ主回路４から電動機３へ出力される出力電圧には歪みが発生する。電圧歪みによる悪影響は先行技術文献でも述べられている通りであり、電動機３の回転速度変動、電動機３からの電磁音増大などである。デッドタイムによる電圧歪みは電動機３に流れる電流の極性に応じて発生するので、電流の極性に合わせて電圧を補正すればよい。例えば、あらかじめ補正量の絶対値ｖ（ｖ＞０）を定めておき、電流の極性に応じて補正電圧の極性を決定する。しかしながら、電流の極性が反転するゼロクロス付近は電流の検出量が極端に小さくなるので、電流の極性の誤検出による誤補正の恐れがある。
【００２５】
上記のような誤補正を防ぐ方法として、例えば、次の２つの方法を比較例として挙げる。図５は、比較例の２つの方法を示す図である。Ｔｄ補正電圧（１）は、第１の方法を用いた場合のデッドタイムによる歪みを補正するための補正電圧を示し、Ｔｄ補正電圧（２）は、第２の方法を用いた場合のデッドタイムによる歪みを補正するための補正電圧を示す。第１の方法は、図５に示すように、閾値α（α＞０）を定めておき、モータ電流が−α〜αの範囲であれば、補正量を０とする方法である。第２の方法は、図５に示すように、モータ電流が−α〜αとなる期間で、電流に対して勾配をつけて台形形状の補正電圧とする。
【００２６】
しかしながら、上記の比較例では、いずれもモータ電流が−α〜αとなる期間、すなわち図５のｔａ期間内のデッドタイムによる歪みの電圧補正とｔａ期間外でのデッドタイムによる歪みの補正電圧には差異がある。ｔａ期間内では、第１の方法、第２の方法ともに、所望の補正電圧とは異なる補正電圧が設定されていることから、デッドタイムによる歪みの補正の精度が低下する。モータ電流がαに対して、例えば２桁以上大きい場合にはｔａ期間は短いが、モータ電流がαに近くなると、図５に示すｔａ期間が長くなり、ｔａ期間における補正電圧がデッドタイムによる歪みの補正全体へ与える影響が大きくなる。換言すると、第１の方法で言えば、電圧補正が０の期間が長くなり、第２の方法で言えば台形の勾配が緩やかになる。
【００２７】
そこで、本実施の形態では、以下に述べる電圧補正を実施することにより、モータ電流が−α〜αとなる期間内であっても、デッドタイムによる歪みの補正を確実に補正し、かつ電流極性とは逆方向の補正を行う誤補正を防ぐことにより、デッドタイムによる歪みを高精度に補正することができる。
【００２８】
図６は、インバータ制御回路５の制御指令としての電圧指令値とインバータ主回路４から実際に出力される出力電圧と、モータ電流との関係を示す図である。図６に示すように、インバータ制御回路５からは正弦波形状の電圧指令値４０１が出力されているにもかかわらず、デッドタイムの影響によりインバータ主回路４から実際に出力される出力電圧４０３は、正弦波形状とならない。具体的には、インバータ主回路４から実際に出力される出力電圧４０３は、モータ電流４０２が正極性の時に負側にオフセットし、モータ電流４０２が負極性の時に正側にオフセットする。このため、モータ電流４０２の極性の切り替わり時に、図６の点線で囲んだ部分に示すように、出力電圧４０３に歪みが生じる。
【００２９】
図６に示すデッドタイムによる歪みを抑制するために、比較例として示したように、モータ電流が−α〜αとなる期間内で補正電圧を０とすると、上述したように、デッドタイムによる歪みを高精度に補正することができない。そこで、本実施の形態では、モータ電流が−α〜αとなる期間内では、モータ電流が−α〜αとなっている相以外の相の電圧を補正する。電動機３は一般的には三相であり、上述したようにこれらの三相はＵ相、Ｖ相およびＷ相と呼ばれる。電動機３には各相の線間電圧によって電圧が印加されるため、相電圧自体ではなく、線間電圧を補正すれば、実質的に相電圧を補正したことと同義になる。
【００３０】
そこで、本実施の形態では、図７に示すように、電流極性が変化するタイミングの場合に、他相で電流極性が変化する相のＴｄの歪みを補正する。図７は、本実施の形態のデッドタイムによる歪みを補正するための補正電圧であるＴｄ補正電圧の一例を示す図である。図７において、期間ｔｕはＵ相のモータ電流が閾値以内となる期間、期間ｔｖはＶ相のモータ電流が閾値以内となる期間、期間ｔｗはＷ相のモータ電流が閾値以内となる期間を示している。なお、モータ電流が閾値以下とは、モータ電流が−α〜αであることを示す、すなわちモータ電流の絶対値が閾値α以下であることを示す。
【００３１】
図７に示すように、Ｕ相電圧の補正電圧であるＴｄ補正電圧（Ｕ相）は、ｔｕ期間内では０となっているため、モータ電流の極性の誤検出による補正誤りが発生しない。一方、Ｕ相電圧の補正電圧だけ０にすると線間電圧においてインバータ主回路４からの出力電圧に歪みが発生する。これに対し、本実施の形態では、ｔｕ期間内では、Ｖ相とＷ相の補正電圧に、Ｕ相で補正すべきデッドタイムによる歪みを補正するための補正電圧分を増減することにより、等価的にＵ相でのＴｄの補正を行ったことになる。
【００３２】
同様に、Ｖ相、Ｗ相のモータ電流が閾値以下となる場合、すなわちモータ電流が−α〜αの範囲内である場合に、それぞれＶ相、Ｗ相の補正電圧を０とするとともに、モータ電流が閾値以下となっている相以外の相の２つの補正電圧を増減させることにより、等価的にモータ電流が閾値以下となっている相のデッドタイムによる歪みを補正する。モータ電流が閾値以下となっている相のデッドタイムによる歪みの補正を、該相におけるモータ電流の検出結果に基づいて実施すると、モータ電流が閾値以下、すなわちモータ電流の極性の変化点の近傍では、モータ電流の極性の誤検出が生じやすく、これにより誤った電圧補正が実施される可能性がある。これに対し、本実施の形態では、モータ電流の極性の変化点の近傍では、他相の電圧を補正することにより、線間電圧においてモータ電流の極性の変化点の近傍となる相のデッドタイムによる歪みの補正に相当する補正が反映される。このため、モータ電流の検出における極性の誤検出の影響を受けず、かつデッドタイムによる歪みを確実に補正することができる。
【００３３】
すなわち、本実施の形態では、電動機３の複数の相のうちの１つである第１の相に流れる電流が閾値以下となる場合に、第１の相に出力される交流電力の電圧は、第１の相の電圧指令値に対応する電圧であり、複数の相のうち第１の相以外の相である第２の相に出力される交流電力の電圧は、第２の相の電圧指令値に対応する電圧より低いまたは高い。また、インバータ制御回路５は、第１の相に流れる電流が閾値以下となる場合に、複数の相のうち第１の相以外の１つ以上の第２の相のそれぞれに印加する電圧を、第１の相に印加する電圧を補正するための補正電圧に応じて変化させる駆動信号を出力することになる。
【００３４】
なお、以上の例では、デッドタイムによる歪みを補正するための補正電圧の絶対値ｖが一定値であるとして図面等を記載したが、デッドタイムによる歪みを補正するための補正電圧の絶対値ｖは、ｖ＝キャリア周波数ｆｃ×デッドタイム時間ｔｄ×直流電圧Ｖｄｃで表されるため、直流電圧Ｖｄｃや実際のｔｄに応じて変化する値として設定しておいてもよい。また、実際のｔｄを観測することはコストアップとなるため、モータ電流の関数として近似しておき、モータ電流等に応じて変化する値として設定しておいてもよい。
【００３５】
図８は、本実施の形態の補正電圧生成部５３における処理手順の一例を示すフローチャートである。なお、デッドタイムによる歪みを補正するための補正電圧の絶対値ｖは、あらかじめ算出されており、補正電圧生成部５３が保持しているとする。また、ｖをモータ電流等の関数として定義する場合には、この関数が補正電圧生成部５３に設定されている、またはモータ電流等と補正電圧の絶対値との対応を補正電圧生成部５３がテーブル等により保持しているとする。図８に示すように、補正電圧生成部５３は、電流計測器６，７によるモータ電流の検出結果から各相の電流、すなわちモータ電流を求め、電流が閾値以内となる相があるか否かを判断する（ステップＳ１）。
【００３６】
電流が閾値以内となる相がある場合（ステップＳ１  Ｙｅｓ）、補正電圧生成部５３は、電流が閾値以内の相がどの相であるか否かを判断する（ステップＳ２）。電流が閾値以内の相がＵ相の場合（ステップＳ２  Ｕ相）、補正電圧生成部５３は、Ｕ相電圧、すなわちＵ相の補正電圧を０に設定し、Ｖ，Ｗ相電圧、すなわちＶ，Ｗ相の補正電圧は、それぞれ自相＋Ｕ相分に設定する（ステップＳ３）。具体的には、補正電圧生成部５３は、Ｕ相の補正電圧を０に設定し、Ｕ，Ｖ，Ｗ相のモータ電流の極性に応じて、Ｕ，Ｖ，Ｗ相の所望の補正電圧ΔＶｕ，ΔＶｖ，ΔＶｗを求める。所望の補正電圧であるΔＶｕ，ΔＶｖ，ΔＶｗは、ここでは、対応する相のモータ電流の極性が正の場合にはｖ、対応する相のモータ電流の極性が負の場合には−ｖであるとする。そして、補正電圧生成部５３は、Ｖ相の補正電圧、Ｗ相の補正電圧を以下の式（１）により算出する。なお、Ｖ，Ｗ相の補正電圧にＵ相分の補正電圧を加算する場合、線間電圧においてＵ相分の補正電圧が反映されるよう極性は逆にする。
Ｖ相の補正電圧＝ΔＶｖ＋（−ΔＶｕ）
Ｗ相の補正電圧＝ΔＶｗ＋（−ΔＶｕ）      …（１）
【００３７】
例えば、Ｕ相のモータ電流の極性が負であり、Ｖ相のモータ電流の極性が負であり、Ｗ相のモータ電流の極性が正である場合、上記の式（１）は以下の式（２）で表すことができる。
Ｖ相の補正電圧＝−ｖ＋ｖ＝０
Ｗ相の補正電圧＝ｖ＋ｖ＝２ｖ        …（２）
【００３８】
電流が閾値以内の相がＶ相の場合（ステップＳ２  Ｖ相）、補正電圧生成部５３は、Ｖ相電圧、すなわちＶ相の補正電圧を０に設定し、Ｕ，Ｗ相電圧、すなわちＵ，Ｗ相の補正電圧は、それぞれ自相＋Ｖ相分に設定する（ステップＳ４）。Ｕ，Ｗ相の補正電圧は、以下の式（３）により算出することができる。
Ｕ相の補正電圧＝ΔＶｕ＋（−ΔＶｖ）
Ｗ相の補正電圧＝ΔＶｗ＋（−ΔＶｖ）      …（３）
【００３９】
電流が閾値以内の相がＷ相の場合（ステップＳ２  Ｗ相）、補正電圧生成部５３は、Ｗ相電圧、すなわちＷ相の補正電圧を０に設定し、Ｕ，Ｖ相電圧、すなわちＵ，Ｖ相の補正電圧は、それぞれ自相＋Ｗ相分に設定する（ステップＳ５）。Ｕ，Ｖ相の補正電圧は、以下の式（４）により算出することができる。
Ｕ相の補正電圧＝ΔＶｕ＋（−ΔＶｗ）
Ｖ相の補正電圧＝ΔＶｖ＋（−ΔＶｗ）      …（４）
【００４０】
電流が閾値以内となる相がない場合（ステップＳ１  Ｎｏ）、補正電圧生成部５３は、Ｕ，Ｖ，Ｗの全相の補正電圧を、自相分のみとする（ステップＳ６）。すなわち、補正電圧生成部５３は、Ｕ，Ｖ，Ｗ相の補正電圧をそれぞれ、上述のΔＶｕ，ΔＶｖ，ΔＶｗとする。
【００４１】
また、電流が閾値以内となる相は、モータ電流の検出において極性の誤検出が生じる可能性がある。このため、モータ電流が閾値以内となる相は、他の２相のモータ電流から３相平衡の条件により算出したモータ電流を用いてもよい。ただし、この場合、図１の構成例に対し、Ｖ相に対応する電流検出器を追加する。図９は、３相平衡を仮定してモータ電流が閾値以内となる相のモータ電流を算出する場合の補正電圧生成部５３における処理手順の一例を示すフローチャートである。ステップＳ１，Ｓ２，Ｓ６は、図８に示した例と同様である。
【００４２】
電流が閾値以内の相がＵ相の場合（ステップＳ２  Ｕ相）、補正電圧生成部５３は、以下の式（５）によりＵ相電流を求める（ステップＳ１１）。なお、Ｕ相電流はＵ相のモータ電流であり、Ｖ相電流はＶ相のモータ電流であり、Ｗ相電流はＷ相のモータ電流である。
Ｕ相電流＝−Ｖ相電流−Ｗ相電流  …（５）
【００４３】
次に、補正電圧生成部５３は、ステップＳ１１で求めたＵ相電流を用いて、図８のステップＳ３と同様に、Ｕ，Ｖ，Ｗ相の補正電圧を算出する（ステップＳ１２）。
【００４４】
電流が閾値以内の相がＶ相の場合（ステップＳ２  Ｖ相）、補正電圧生成部５３は、以下の式（６）によりＶ相電流を求める（ステップＳ１３）。
Ｖ相電流＝−Ｕ相電流−Ｗ相電流  …（６）
【００４５】
次に、補正電圧生成部５３は、ステップＳ１３で求めたＶ相電流を用いて、図８のステップＳ４と同様に、Ｕ，Ｖ，Ｗ相の補正電圧を算出する（ステップＳ１４）。
【００４６】
電流が閾値以内の相がＷ相の場合（ステップＳ２  Ｗ相）、補正電圧生成部５３は、以下の式（７）によりＷ相電流を求める（ステップＳ１５）。
Ｗ相電流＝−Ｕ相電流−Ｖ相電流  …（７）
【００４７】
次に、補正電圧生成部５３は、ステップＳ１５で求めたＷ相電流を用いて、図８のステップＳ５と同様に、Ｕ，Ｖ，Ｗ相の補正電圧を算出する（ステップＳ１６）。
【００４８】
図９に示したように、電流が閾値以内の相のモータ電流を他相のモータ電流を用いて算出することにより、モータ電流を高精度に検出することができ、さらに図８の例と同様に他相の電圧でデッドタイムによる歪みを補正するので、極性の誤検出が発生することによる誤補正を抑制することができる。図８の例では、電流が閾値以内の相のモータ電流の精度が高くなるため、他相の電圧でデッドタイムにより歪みを補正する際の補正精度を図７の例に比べて高めることができる。
【００４９】
また、ＧａＮ、ＳｉＣ、ダイヤモンドなどのワイドバンドギャップ半導体でインバータ主回路部４を構成した場合、スイッチング速度が速く、電圧の時間変化率であるｄｖ／ｄｔが大きい。このため、モータ電流の極性の変化点近傍でデッドタイムによる歪みを補正すると、補正による電流変化率ｄｉ／ｄｔが大きく変化し、ｄｉ／ｄｔによるノイズが大きくなるといった課題がある。本実施の形態では、モータ電流の極性の変化点近傍では他相にてデッドタイムによる歪みを補正するので、ワイドバンドギャップ半導体を適用してもデッドタイムによる歪みに依存したノイズを増大させることなく、デッドタイムによる歪みを精度よく補正できる。
【００５０】
なお、本実施の形態では、３相の電動機３を制御する例について説明したが、３相に限定されず２相以上の電動機を制御する電動機駆動装置においても本実施の形態と同様のデッドタイムによる歪みの補正を行うことができる。すなわち、電流が閾値以内の相のデッドタイムによる歪みを補正するための補正電圧を０とし、電流が閾値以内の相で補正すべき補正電圧を他相の補正電圧により補正するようにすればよい。
【００５１】
実施の形態２．
図１０は、本発明の実施の形態２の空気調和機の構成例を示す図である。本実施の形態の空気調和機は、実施の形態１で述べた電動機駆動装置１００を備える。本実施の形態の空気調和機は、実施の形態１の電動機３を内蔵した圧縮機８１、四方弁８２、室外熱交換器８３、膨張弁８４、室内熱交換器８５が冷媒配管８６を介して取り付けられた冷凍サイクルを有して、セパレート形空気調和機を構成している。実施の形態１と同様の機能を有する構成要素は、実施の形態１と同一の符号を付している。
【００５２】
圧縮機８１内部には冷媒を圧縮する圧縮機構８７とこれを動作させる電動機３が設けられ、圧縮機８１から室外熱交換器８３と室内熱交換器８５間を冷媒が循環することで冷暖房などを行う冷凍サイクルが構成されている。なお、図１０に示した構成は、空気調和機だけでなく、冷蔵庫、冷凍庫等の冷凍サイクルを備える冷凍サイクル装置に適用可能である。
【００５３】
本実施の形態の空気調和機では、実施の形態１で述べた電動機駆動装置を備えているため、デッドタイムによる電圧歪みを高い精度で補正することができ、電動機３の回転速度変動および電動機３からの電磁音増大等を低減させることができる。
【００５４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５５】
１  直流電源、２  平滑コンデンサ、３  電動機、４  インバータ主回路、４ａ，４ｂ，４ｃ，４ｄ，４ｅ，４ｆ  スイッチング素子、５  インバータ制御回路、６，７  電流計測器、５１  駆動信号生成部、５２  電圧指令演算部、５３  補正電圧生成部、８１  圧縮機、８２  四方弁、８３  室外熱交換器、８４  膨張弁、８５  室内熱交換器、８６  冷媒配管、８７  圧縮機構、１００  電動機駆動装置。
【図１】
2017029694.tif 000003
【図２】
2017029694.tif 000004
【図３】
2017029694.tif 000005
【図４】
2017029694.tif 000006
【図５】
2017029694.tif 000007
【図６】
2017029694.tif 000008
【図７】
2017029694.tif 000009
【図８】
2017029694.tif 000010
【図９】
2017029694.tif 000011
【図１０】
2017029694.tif 000012
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
電動機の複数の相のそれぞれに交流電力を出力するインバータと、
前記複数の相のうちの１つである第１の相に流れる電流が閾値以下となる場合に、前記複数の相のうちの第２の相のそれぞれに印加する電圧を、前記第１の相に印加する電圧を補正するための補正電圧に応じて変化させる駆動信号を出力する制御部と、
を備える電動機駆動装置。
【請求項２】
前記インバータは、直列接続されたスイッチング素子群で構成されるアームを、前記複数の相の数だけ有し、
前記補正電圧は、前記第１の相に対応する前記アームを構成する前記スイッチング素子群が同時に閉とならないように設けられる短絡防止時間により生じる前記インバータの出力電圧の歪を補正するための補正電圧である請求項１に記載の電動機駆動装置。
【請求項３】
前記スイッチング素子は、ワイドバンドギャップ半導体によって形成されている請求項２に記載の電動機駆動装置。
【請求項４】
前記ワイドバンドギャップ半導体は、炭化珪素である請求項３に記載の電動機駆動装置。
【請求項５】
前記複数の相のそれぞれを流れる電流をそれぞれ検出する複数の電流検出器、
を備え、
前記第１の相を流れる電流を、前記第２の相を流れる電流を検出した電流検出器による検出結果に基づいて算出する請求項１から４のいずれか１つに記載の電動機駆動装置。
【請求項６】
前記電動機は、圧縮機に内蔵される請求項１から５のいずれか１つに記載の電動機駆動装置。
【請求項７】
請求項１から６のいずれか１つに記載の電動機駆動装置を備える冷凍サイクル装置。
【手続補正２】
【補正対象書類名】明細書
【補正対象項目名】０００９
【補正方法】変更
【補正の内容】
【０００９】
上述した課題を解決し、目的を達成するために、本発明にかかる電動機駆動装置は、電動機の複数の相のそれぞれに交流電力を出力するインバータと、複数の相のうちの１つである第１の相に流れる電流が閾値以下となる場合に、複数の相のうちの第２の相のそれぞれに印加する電圧を、第１の相に印加する電圧を補正するための補正電圧に応じて変化させる駆動信号を出力する制御部とを備える。
【国際調査報告】
2017029694.tif 000013
2017029694.tif 000014
2017029694.tif 000015
2017029694.tif 000016